(57)【要約】【課題】ラックを摺動自在に設けたＯＡ機器等の重量物載置棚に於て、ラックの収納位置、及び、引き出し位置でのラックの摺動を規制し、且つ、規制解除を容易にして載置物の取り扱いの容易化及び安全を図る。【解決手段】本発明は、ＯＡ機器等の重量物を搭載するラックの下端部に摺動部材３を固設し、一方、建物の床に案内部材４を配設し、該ラックを該案内部材４の案内によって収納位置から引き出し位置まで摺動自在に設けたＯＡ機器等の重量物載置棚に於て、前記ラックの摺動を所定位置で規制する規制手段（ラッチ１１，１２、ストライカー２８，２８…）を設けると共に、該規制手段の規制を解除する解除手段（操作部１５，１６、ロッド１７，１８）を設け、且つ、該解除手段の操作部１５，１６を前記摺動部材３の前面に設けたＯＡ機器等の重量物載置棚を提供する。【選択図】  図２
2005039021.tif 000002
【特許請求の範囲】
【請求項１】
ＯＡ機器等の重量物を搭載するラックの下端部に摺動部材を固設し、一方、建物の床に案内部材を配設し、該ラックを該案内部材の案内によって収納位置から引き出し位置まで摺動自在に設けたＯＡ機器等の重量物載置棚に於て、前記ラックの摺動を所定位置で規制する規制手段を設けると共に、該規制手段の規制を解除する解除手段を設け、且つ、該解除手段の操作部を前記摺動部材の前面に設けたことを特徴とするＯＡ機器等の重量物載置棚。
【請求項２】
上記摺動部材はキャスターを備えていることを特徴とする請求項１記載のＯＡ機器等の重量物載置棚。
【請求項３】
上記規制手段は上記ラックの引き出し位置にて該ラックの摺動を規制するように構成されていることを特徴とする請求項１又は２記載のＯＡ機器等の重量物載置棚。
【請求項４】
上記規制手段は上記ラックの収納位置にて該ラックの摺動を規制するように構成されていることを特徴とする請求項１，２又は３記載のＯＡ機器等の重量物載置棚。
【請求項５】
上記規制手段は突出自在で、且つ、常時突出状態に付勢された突出部を備えた係止手段と、該突出部と係合する係合部を備えた係合手段から成ることを特徴とする請求項１，２，３又は４記載のＯＡ機器等の重量物載置棚。
【請求項６】
上記係止手段は上記摺動部材に設けられ、上記係合手段は上記案内部材に固設されていることを特徴とする請求項５記載のＯＡ機器等の重量物載置棚。
【請求項７】
上記係止手段はラッチであることを特徴とする請求項５又は６記載のＯＡ機器等の重量物載置棚。
【請求項８】
上記係合手段はストライカーであることを特徴とする請求項５，６又は７記載のＯＡ機器等の重量物載置棚。
【請求項９】
上記規制手段は上記ストライカーによって上記ラックの引き出し位置にて該ラックの収納位置方向への摺動を規制するように構成されていることを特徴とする請求項８記載のＯＡ機器等の重量物載置棚。
【請求項１０】
上記規制手段は上記ストライカーによって上記ラックの収納位置にて該ラックの引き出し位置方向への摺動を規制するように構成されていることを特徴とする請求項８又は９記載のＯＡ機器等の重量物載置棚。
【請求項１１】
上記摺動部材は該摺動部材の上面に配線を保持するための平面視略半円形状の保持体が形成されていることを特徴とする請求項１，２，３，４，５，６，７，８，９又は１０記載のＯＡ機器等の重量物載置棚。
【発明の詳細な説明】
【０００１】
【発明の属する技術分野】
近年、サーバー・ルーター等のＯＡ機器は、事務所内設置の要望が高く、且つ、事務所スペースの効率化により、ＯＡ機器搭載ラックは壁面に密着して設置する要求が高まっている。しかし、ＯＡ機器の取り扱い作業及び保守点検を行う場合、壁面側（裏面）のアクセスが必須である。その対策として、ラックを前面に摺動させ壁面側（裏面）にＯＡ機器の取り扱い作業及び保守点検を行えるスペースを確保することが必要となる。
【０００２】
この発明は、ＯＡ機器等の重量物載置棚に関するものであり、特に、ＯＡ機器等の重量物を載置するラックを摺動自在に設けると共に、該ラックの摺動を所定位置で規制できるように構成されたＯＡ機器等の重量物載置棚に関するものである。
【０００３】
【従来の技術及び発明が解決しようとする課題】
此種ＯＡ機器等の載置棚を本願出願人は既に出願しており（特願２００３−７１４４２）、該ＯＡ機器等の重量物載置棚は、摺動自在の棚板を備えたＯＡ機器等の重量物載置棚であって、棚板の引き出し位置、収納位置、又は、適宜位置での棚板の摺動を規制し、且つ、規制解除を容易にして棚板上に載置した載置物の取り扱いの容易化、及び、作業の安全を図ったものである。
【０００４】
然しながら、該ＯＡ機器等の重量物載置棚は、異なる棚板の載置物を取り扱う場合に、棚板毎に引き出し、収納する操作が煩雑であるという問題があった。
【０００５】
一方、ＯＡ機器等を載置する棚板を備えたラック自体を摺動自在に設けたＯＡ機器等の重量物載置棚も知られており、該ラックは収納位置から引き出し位置まで摺動自在に構成され、且つ、収納位置及び引き出し位置で摺動停止するように構成されている。そして、該引き出し位置にてＯＡ機器等の取り扱い、又は、保守点検等の作業が行えるようにしたものである。
【０００６】
該ＯＡ機器等の重量物載置棚はラック自体を引き出すことができるため、異なる棚板上に載置した複数のＯＡ機器等の取り扱い、又は、保守点検が容易となる利点がある。
【０００７】
然しながら、該ＯＡ機器等の重量物載置棚は、収納位置、又は、引き出し位置に於て摺動を停止するが、停止状態から戻る方向に対して摺動が規制されていないため、戻る方向に摺動する虞があり、極めて危険である。
【０００８】
そこで、ラックを摺動自在に設けたＯＡ機器等の重量物載置棚に於て、ラックの収納位置、及び、引き出し位置でのラックの摺動を規制し、且つ、規制解除を容易にして載置物の取り扱いの容易化及び安全を図るために解決すべき技術的課題が生じてくるのであり、本発明はこの課題を解決することを目的とする。
【０００９】
【課題を解決するための手段】
本発明は上記目的を達成するために提案されたものであり、請求項１記載の発明は、ＯＡ機器等の重量物を搭載するラックの下端部に摺動部材を固設し、一方、建物の床に案内部材を配設し、該ラックを該案内部材の案内によって収納位置から引き出し位置まで摺動自在に設けたＯＡ機器等の重量物載置棚に於て、前記ラックの摺動を所定位置で規制する規制手段を設けると共に、該規制手段の規制を解除する解除手段を設け、且つ、該解除手段の操作部を前記摺動部材の前面に設けたことを特徴とするＯＡ機器等の重量物載置棚である。
【００１０】
該請求項１記載の発明によれば、前記ラックの摺動を所定位置で規制して、ＯＡ機器等の取り扱い作業、及び、保守点検作業等を容易、且つ、安全に行うことができると共に、規制の解除も容易であり、操作性を高めることができる。
【００１１】
又、請求項２記載の発明は、上記摺動部材はキャスターを備えていることを特徴とする請求項１記載のＯＡ機器等の重量物載置棚である。
【００１２】
該請求項２記載の発明によれば、請求項１記載の発明の効果に加え、前記キャスターによって上記ラックの摺動が円滑に行える。
【００１３】
更に、請求項３記載の発明は、上記規制手段は上記ラックの引き出し位置にて該ラックの摺動を規制するように構成されていることを特徴とする請求項１又は２記載のＯＡ機器等の重量物載置棚である。
【００１４】
該請求項３記載の発明によれば、請求項１又は２記載の発明の効果に加え、前記ラックを引き出し位置で摺動規制し、該引き出し位置で容易、且つ、安全に作業が行える。
【００１５】
更に又、請求項４記載の発明は、上記規制手段は上記ラックの収納位置にて該ラックの摺動を規制するように構成されていることを特徴とする請求項１，２又は３記載のＯＡ機器等の重量物載置棚である。
【００１６】
該請求項４記載の発明によれば、請求項１，２又は３記載の発明の効果に加え、前記ラックを収納位置で摺動規制し、該ラックの不慮の摺動を防止することができる。
【００１７】
そして、請求項５記載の発明は、上記規制手段は突出自在で、且つ、常時突出状態に付勢された突出部を備えた係止手段と、該突出部と係合する係合部を備えた係合手段から成ることを特徴とする請求項１，２，３又は４記載のＯＡ機器等の重量物載置棚である。
【００１８】
該請求項５記載の発明によれば、請求項１，２，３又は４記載の発明の効果に加え、前記係止手段と、前記係合手段とを係合させることにより上記ラックを確実に摺動規制することができる。
【００１９】
又、請求項６記載の発明は、上記係止手段は上記摺動部材に設けられ、上記係合手段は上記案内部材に固設されていることを特徴とする請求項５記載のＯＡ機器等の重量物載置棚である。
【００２０】
該請求項６記載の発明によれば、請求項５記載の発明の効果に加え、前記摺動部材と前記案内部材を確実に摺動規制することができる。
【００２１】
更に、請求項７記載の発明は、上記係止手段はラッチであることを特徴とする請求項５又は６記載のＯＡ機器等の重量物載置棚である。
【００２２】
該請求項１記載の発明によれば、請求項５又は６記載の発明の効果に加え、該ラッチによって確実に係止させることができる。
【００２３】
更に又、請求項８記載の発明は、上記係合手段はストライカーであることを特徴とする請求項５，６又は７記載のＯＡ機器等の重量物載置棚である。
【００２４】
該請求項８記載の発明によれば、請求項５，６又は７記載発明の効果に加え、該ストライカーによって確実に係合させることができる。
【００２５】
そして、請求項９記載の発明は、上記規制手段は上記ストライカーによって上記ラックの引き出し位置にて該ラックの収納位置方向への摺動を規制するように構成されていることを特徴とする請求項８記載のＯＡ機器等の重量物載置棚である。
【００２６】
該請求項９記載の発明によれば、請求項８記載の発明の効果に加え、前記ラックの引き出し位置にて該ラックの収納位置方向への摺動を規制することができる。
【００２７】
又、請求項１０記載の発明は、上記規制手段は上記ストライカーによって上記ラックの収納位置にて該ラックの引き出し位置方向への摺動を規制するように構成されていることを特徴とする請求項８又は９記載のＯＡ機器等の重量物載置棚である。
【００２８】
該請求項１０記載の発明によれば、請求項８又は９記載の発明の効果に加え、前記ラックの収納位置にて該ラックの引き出し位置方向への摺動を規制することができる。
【００２９】
更に、請求項１１記載の発明は、上記摺動部材は該摺動部材の上面に配線を保持するための平面視略半円形状の保持体が形成されていることを特徴とする請求項１，２，３，４，５，６，７，８，９又は１０記載のＯＡ機器等の重量物載置棚である。
【００３０】
該請求項１１記載の発明によれば、請求項１，２，３，４，５，６，７，８，９又は１０記載の発明の効果に加え、前記摺動部材の摺動時に、配線が前記略半円形状の保持体に当接し、誘導されるため該配線が円滑に誘導されると共に、配線の損傷を防止することができる。
【００３１】
【発明の実施の形態】
以下、本発明の一実施の形態を図１乃至図７に従って詳述する。図１に於て、１は、ルーター、電源、トランス等のＯＡ機器等の重量物載置棚であり、ラック２と、該ラック２の下部に固設される摺動部材３と、建物の床に配設され、該摺動部材３の摺動を案内するための案内部材４とから成る。
【００３２】
そして、図２及び図３に示す如く、前記摺動部材３の下端部には該摺動部材３を円滑に摺動させるための複数のキャスター８，８…が左右２列に設けられ、且つ、該摺動部材３の左右側部には前記案内部材４に案内される上下突出部材９，１０、及び、９，１０が夫々設けられている。
【００３３】
又、該摺動部材３の左右後端部（図２に於て、図面左右上端部）に夫々係止手段としてのラッチ１１，１２が設けられ、該ラッチ１１，１２は夫々外方に常時突出状態に付勢された突出部１１ａ、１２ａを備えている。
【００３４】
一方、該摺動部材３の左右前面に把手１３，１４が夫々設けられ、該把手１３，１４には押しボタン状の操作部１５，１６が夫々配設され、該操作部１５，１６はロッド１７，１８によって前記ラッチ１１，１２に夫々連結され、該操作部１５，１６、及び、該ロッド１７，１８は前方に付勢されており、該操作部１５，１６及び該ロッド１７，１８によって解除手段が構成される。
【００３５】
即ち、該操作部１５，１６の押圧による該ロッド１７，１８の後方への摺動によって該ラッチ１１，１２の前記突出部１１ａ，１２ａの突出が解除され、該操作部１５，１６の押圧を開放すると該ロッド１７，１８も前方に摺動して、該ラッチ１１，１２の突出部１１ａ，１２ａが突出状態に復帰するように構成されている。
【００３６】
又、前記摺動部材３の後端部上面には前記ＯＡ機器等に接続する配線１９を保持するための平面視略半円形状の保持体２０が形成され、該摺動部材３が摺動した時、該保持体２０によって該配線１９を円滑に保持、誘導すると共に、該保持体２０の前述の形状によって該配線１９を損傷しない構成となっている。
【００３７】
更に、前記案内部材４は断面略Ｕ字状に形成され、該案内部材４の底板２１がアンカー２２，２２…によって建物の床Ｆに固設され、該案内部材４の左右側板２３，２４に夫々内方に突設する案内板２５，２５が該案内部材４の前後方向に配設されている。そして、該案内部材４の底板２１には前記キャスター８，８…の転動を誘導する誘導路２６，２７が該底板２１の前後方向に折曲されて形成されている。
【００３８】
更に又、該案内部材４の左右側板２３，２４の内側部の前端部に、図４に示す如く、略直角三角形状のストライカー２８，２８が規制端面Ａを前方に向けて設けられ、一方、左右側板２３，２４の内側部の後端部に図５に示す如く直角三角形状のストライカー２８，２８が規制端面Ａを後方に向けて設けられている。
【００３９】
而して、図６に示す収納位置に於て、該ラック２下端部の摺動部材３は該摺動部材３の後端部が前記案内部材４の後端部に当接して後方への摺動が規制され、且つ、該摺動部材３の左右後端部に設けられたラッチ１１，１２の突出部１１ａ，１２ａが前記左右側板２３，２４の後端部に設けられた前記ストライカー２８，２８の規制端面Ａ，Ａに係合し該摺動部材３の前方への摺動が規制される。
【００４０】
次に、前記操作部１５，１６を押圧して、前記ロッド１７，１８を後方に摺動させ、前記ラッチ１１，１２の突出部１１ａ，１２ａの突出を解除すると、前記摺動部材３の前方への摺動が可能となり、前記把手１３，１４を前方に引くと、該摺動部材３の前記キャスター８，８…が前記誘導路２６，２７に沿って転動し、且つ、左右の前記上下突出部材９，１０，９，１０が前記案内板２５，２５に案内されて前記摺動部材３が図７に示す引き出し位置まで摺動し、該摺動部材３の後端部が前記案内部材４の前端部に当接して前方への摺動が規制され、且つ、前記ラッチ１１，１２の突出部１１ａ，１２ａが前記案内部材４の左右側板２３，２４の前端部に設けられたストライカー２８，２８の規制端面Ａ，Ａに自動的に係合し該摺動部材３の後方への摺動が規制される。
【００４１】
この状態で、前記ラック２に搭載のＯＡ機器等の裏面側の取り扱い作業、及び、保守点検作業等を行うことができる。
【００４２】
そして、前記操作部１５，１６を押して、前記ロッド１７，１８を後方に摺動させ、前記ラッチ１１，１２の突出部１１ａ，１２ａの突出を解除すると、前記摺動部材３の後方への摺動が可能となり、前記把手１３，１４を後方に押して該摺動部材３を収納位置側に摺動させると、該摺動部材３の後端部が前記案内部材４の後端部に当接して後方への摺動が規制され、且つ、前記ラッチ１１，１２の突出部１１ａ，１２ａが前記案内部材４の左右側板２３，２４の後端部に設けられた前記ストライカー２８，２８の規制端面Ａ，Ａに自動的に係合し該摺動部材３の前方への摺動が規制される。
【００４３】
斯くして、前記摺動部材３は収納位置に於て、前後方向摺動が規制され、該摺動部材３の不慮の摺動の発生の虞がなくなり、安全であると共に、引き出し位置で前後方向の摺動が規制され、該引き出し位置に於て、前記ラック２に搭載のＯＡ機器等の裏面側の取り扱い作業、及び、保守点検作業等を容易、且つ、安全に行うことができ、更に、規制の解除も容易であり、操作性を高めることができる。
【００４４】
尚、前記ラッチ１１，１２、及び、前記ストライカー２８，２８，２８，２８の設置位置、設置方向、及び、設置数は任意に設定することが可能であり、然る時は、該設置位置、設置方向、及び、設置数に基づき前記ラック２の摺動を規制できる。又、係止手段としての前記ラッチ１１，１２、及び、係合手段としての前記ストライカー２８，２８，２８，２８は同様の効果を奏する他の手段を用いることも可能である。
【００４５】
特に、前記係合手段としての前記ストライカー２８，２８，２８，２８に代えて、係合手段として凹部、凹溝、穴、又は、孔を形成すれば、前記ラック２の前後方向の摺動を規制することが可能になる。或いは、２つの前記ストライカー２８，２８の規制端面Ａ，Ａを所定間隔離間させて対峙させて配設することにより、前記ラック２の前後方向の摺動を規制することが可能になる。
【００４６】
又、前記解除手段にロッド１７，１８を用いたが、該ロッド１７，１８に代えて同様の効果を奏する他の手段を設けることも可能である。
【００４７】
更に、前記ラッチ１１，１２を電動係止手段に代え、且つ、前記操作部１５，１６を電気スイッチに代え、該電動係止手段と該電気スイッチを接続し、該電気スイッチの操作により前記電動係止手段を作動させることも可能であり、然る時も前述と同様の効果を得ることが可能であると共に、操作性が更に向上する利点がある。
【００４８】
尚、本発明は、本発明の精神を逸脱しない限り種々の改変を為すことができ、そして、本発明が該改変されたものに及ぶことは当然である。
【００４９】
【発明の効果】
本発明は上記一実施の形態に詳述したように、請求項１記載の発明は、ＯＡ機器等の重量物載置棚に於て、ラックの摺動を所定位置で規制する規制手段を設けると共に、該規制手段の規制を解除する解除手段を設け、且つ、該解除手段の操作部を前記摺動部材の前面に設けたので、前記ラックの摺動を所定位置で規制して、ＯＡ機器等の取り扱い作業、及び、保守点検作業等を容易、且つ、安全に行うことができると共に、規制の解除も容易であり、操作性を高めることができる。
【００５０】
又、請求項２記載の発明は、上記摺動部材はキャスターを備えているので、請求項１記載の発明の効果に加え、上記ラックの摺動が円滑に行える。
【００５１】
更に、請求項３記載の発明は、上記規制手段は上記ラックの引き出し位置にて該ラックの摺動を規制するように構成されているので、請求項１又は２記載の発明の効果に加え、前記ラックを引き出し位置で摺動規制し、該引き出し位置で容易、且つ、安全に作業が行える。
【００５２】
更に又、請求項４記載の発明は、上記規制手段は上記ラックの収納位置にて該ラックの摺動を規制するように構成されているので、請求項１，２又は３記載の発明の効果に加え、前記ラックを収納位置で摺動規制し、該ラックの収納位置での不慮の摺動を防止することができる。
【００５３】
そして、請求項５記載の発明は、上記規制手段は突出自在で、且つ、常時突出状態に付勢された突出部を備えた係止手段と、該突出部と係合する係合部を備えた係合手段から成るので、請求項１，２，３又は４記載の発明の効果に加え、前記係止手段と、前記係合手段を係合させることにより上記ラックを確実に摺動規制することができる。
【００５４】
又、請求項６記載の発明は、上記係止手段は上記摺動部材に設けられ、上記係合手段は上記案内部材に固設されているので、請求項５記載の発明の効果に加え、前記摺動部材と前記案内部材を確実に摺動規制することができる。
【００５５】
更に、請求項７記載の発明は、上記係止手段はラッチであるので、請求項５又は６記載の発明の効果に加え、該ラッチによって確実に係止させることができる。
【００５６】
更に又、請求項８記載の発明は、上記係合手段はストライカーであるので、請求項５，６又は７記載発明の効果に加え、該ストライカーによって確実に係合させることができる。
【００５７】
そして、請求項９記載の発明は、上記規制手段は上記ストライカーによって上記ラックの引き出し位置にて該ラックの収納位置方向への摺動を規制するように構成されているので、請求項８記載の発明の効果に加え、前記ラックの引き出し位置にて該ラックの収納位置方向への摺動を規制することができる。
【００５８】
又、請求項１０記載の発明は、上記規制手段は上記ストライカーによって上記ラックの収納位置にて該ラックの引き出し位置方向への摺動を規制するように構成されているので、請求項８又は９記載の発明の効果に加え、前記ラックの収納位置にて該ラックの引き出し位置方向への摺動を規制することができる。
【００５９】
更に、請求項１１記載の発明は、上記摺動部材は該摺動部材の上面に配線を保持するための平面視略半円形状の保持体が形成されているので、請求項１，２，３，４，５，６，７，８，９又は１０記載の発明の効果に加え、前記摺動部材の摺動時に、配線が前記略半円形状の保持体に当接し、誘導されるため該配線が円滑に誘導されると共に、配線の損傷を防止することができる等、正に著大なる効果を奏する発明である。
【図面の簡単な説明】
【図１】（ａ）本発明の一実施の形態を示し、ＯＡ機器等の重量物載置棚の正面図。
（ｂ）本発明の一実施の形態を示し、ＯＡ機器等の重量物載置棚の側面図。
【図２】（ａ）図１の摺動部材と案内部材の平面図。
（ｂ）図１の摺動部材と案内部材の正面図。
（ｃ）図１の摺動部材と案内部材の側面図。
【図３】図１のキャスターと案内板の詳細説明図（図１の正面より見た一部透視図）。
【図４】図１の案内板の右前部に設けられたストライカーの詳細説明図（図２の平面図一部拡大図）。
【図５】図１の案内板の右後部に設けられたストライカーの詳細説明図（図２の平面図一部拡大図）。
【図６】図１の摺動部材が収納位置にある状態を示す平面図。
【図７】図１の摺動部材が引き出し位置にある状態を示す平面図。
【符号の説明】
１              ＯＡ機器等の重量物載置棚
２              ラック
３              摺動部材
４              案内部材
８              キャスター
１１，１２        ラッチ
１１ａ，１２ａ    突出部
２８              ストライカー
【図１】
2005039021.tif 000003
【図２】
2005039021.tif 000004
【図３】
2005039021.tif 000005
【図４】
2005039021.tif 000006
【図５】
2005039021.tif 000007
【図６】
2005039021.tif 000008
【図７】
2005039021.tif 000009